(57)【要約】【課題】  縦框と横框とで枠組みされた框材と、框材の開口部を閉塞する板材と、を備えた框組建具において、框組建具の外周部を切断することなく、且つ、板材の寸法を調整することなく、容易に全体の寸法が可変できる框組建具を提供する。【解決手段】  縦框１と横框２とで枠組みされた框材３と、框材３の開口部４を閉塞する板材５と、を備え、板材端周部６を框材３の内周全周に設けた差込溝７に挿入した框組建具において、差込溝７内に板材５の挿入深さを調整するための調整用空間部８を設けており、挿入深さを調整することで縦框１間もしくは横框２間の寸法が調整されるようになしたことを特徴とする框組建具であり、板材５の寸法を変えることなく、容易に框組建具の寸法を調整できる框組建具。【選択図】  図２
2006194039.tif 000002
【特許請求の範囲】
【請求項１】
縦框と横框とで枠組みされた框材と、框材の開口部を閉塞する板材と、を備え、板材端周部を框材の内周全周に設けた差込溝に挿入した框組建具において、差込溝内に板材の挿入深さを調整するための調整用空間部を設けており、挿入深さを調整することで縦框間もしくは横框間の寸法が調整されるようになしたことを特徴とする框組建具。
【請求項２】
調整用空間部の余剰部分に、スペーサーを設けたことを特徴とする請求項１記載の框組建具。
【請求項３】
対向する差込溝に、板材の挿入深さが同じになるようにスペーサーを設け、板材を框材の略中央に配置したことを特徴とする請求項２記載の框組建具。
【発明の詳細な説明】
【技術分野】
【０００１】
本願発明は、縦框と横框とで枠組みされた框材と、框材の開口部を閉塞する板材と、を備え、板材端周部を框材の内周全周に設けた差込溝に挿入したドア等の框組建具に関する。
【背景技術】
【０００２】
従来から、住宅の建具には、縦框と横框とで枠組みされた框材の開口部に、鏡板やガラス板などの板材を備えた框組建具が用いられている。この框組建具は、框材内周に差込溝を設け、その差込溝に板材を挿入することが一般的である。
【０００３】
ここで、框組建具は、設置する扉枠の寸法に応じてその寸法を設定しなくてはいけない。従って、扉枠の寸法に対応した框組建具を、個別に設計及び製作する必要があった。それに加え、框組建具を設置するときには、扉枠の寸法が設計にくらべて微妙に誤差があるため、框組建具と扉枠間の隙間ができないように、又、框組建具を複数設置するときには框組建具間の距離が適切になるように、框組建具の巾方向を微調整する必要もある。
【０００４】
このような一般的な框組建具の寸法を調整する方法としては、框組建具を組み上げた後、その外周部を切断するか、もしくは框組建具の組み立て前に、横框もしくは縦框の長さを調整して組み上げることが考えられる。しかしながら、前者は切断部が框組建具を設置したときに外から見える部分であるためにその仕上げに気を配る必要があり、又、特開平８−１７７３２７号公報に示すように、框材の表面を化粧シートで装飾した場合、化粧シートも切断されて框材の下地が見えてしまうため、この方法は用いることができない。後者は、縦框もしくは横框の長さを変化させると、框材の開口部の寸法も変化するために、板材をそれに合わせて切断する必要があった。
【特許文献１】特開平８−１７７３２７号公報
【発明の開示】
【発明が解決しようとする課題】
【０００５】
本願発明は、上記背景技術に鑑みて発明されたものであり、その課題は、縦框と横框とで枠組みされた框材と、框材の開口部を閉塞する板材と、を備えた框組建具において、容易に全体の寸法が変更できる框組建具を提供することである。
【課題を解決するための手段】
【０００６】
上記課題を解決するために、本願発明は、縦框と横框とで枠組みされた框材と、框材の開口部を閉塞する板材と、を備え、板材端周部を框材の内周全周に設けた差込溝に挿入した框組建具において、差込溝内に板材の挿入深さを調整するための調整用空間部を設けており、挿入深さを調整することで縦框間もしくは横框間の寸法が調整されるようになしたことを特徴とする框組建具である。
【発明の効果】
【０００７】
本願発明の框組建具においては、框組建具の差込溝内に調整用空間部を設けているため、板材の差込溝への挿入深さを変えることで、框組建具全体の寸法を容易に変えることが出来る。
【発明を実施するための最良の形態】
【０００８】
図１は、本願の請求項１の発明に対応した実施形態である框組建具を示している。この実施形態の框組み建具は、図１に示す如く、縦框１と横框２とで枠組みされた框材３と、框材３の開口部４を閉塞する板材５と、を備え、板材端周部６を框材３の内周全周に設けた差込溝７に挿入した框組建具において、差込溝７内に板材５の挿入深さを調整するための調整用空間部８を設けており、挿入深さを調整することで縦框１間もしくは横框２間の寸法が調整されるようになしたことを特徴とする框組建具である。
【０００９】
以下、この実施形態の框組建具を、より具体的詳細に説明する。まずは、巾方向の寸法を調整できる框組建具の場合である。この実施形態の框組建具では、縦框１と横框２で枠組みされた框材３と、框材３の開口部４を閉塞する板材５とを備えている。ここで、縦框１及び横框２は木製であり、ムク材、ＭＤＦ、パーティクルボード、集成材や合板などが用いられ、その表面を塗装や化粧シートで装飾していても良い。又、板材５としては、框材３と同様の素材でできた鏡板もしくはガラス板などが選択される。
【００１０】
框材３の内周全周には、連続して差込溝７が設けられ、縦框１及び横框２の断面は略コ字型となっている。板材５は、この差込溝７に挿入されている。この差込溝７内には、板材５の挿入深さを調整するための調整用空間部８が設けられている。従って、差込溝７の深さは、縦框１、横框２及び板材５を何も加工せずに組み立てたとき、板材５の端面と差込溝７の底面との間に空間ができるように設定されている。
【００１１】
続いて、この実施形態における框組建具の組み立て手順を説明する。まず、框組建具が設置される扉枠の寸法に合う巾となるように、横框２を切断して長さを調整する。次に、板材５を差込溝７に挿入し、横框２の端面と、その端面が接合される縦框１の差込溝７側の部分とを、ダボ加工や接着剤などで、強固に接着することで、框組建具が組みあがる。
【００１２】
従って、この実施形態の框組建具においては、框組建具の差込溝７に調整用空間部８を設けているため、縦框１間の寸法を変化させても、板材５がうまく調整用空間部８に収納され、板材５の寸法を調整することもなく框組建具全体の寸法を容易に変えることが出来る。そのため、框組建具が取り付けられる現場ごとの扉枠の大きさに合わせて、個別に框組建具を製作する必要もない。又、板材５の寸法を変えることなく、横框２もしくは縦框１の長さを調整するだけで框組建具全体の寸法を調整することができるため、微調整も容易に行え、施工現場での加工も容易である。又、框組建具の寸法に合わせて板材５を切断する必要がないので、特に板材５がガラス板のときのように加工しにくく、微調整が困難である場合には適している。
【００１３】
又、框組建具の巾方向の寸法を調整するとき、横框２を切断して長さを調節するので、縦框１の外側を切断するときに比べて切断面が小さくなるため加工しやすく、又、この切断面は框材３を組み上げたときには外から見えない部分であるので、特別な仕上げを必要としない。又、表面に化粧シートを施した縦框１及び横框２を用いた場合でも、横框２を端面と平行に切断するので、框材３の外側を切断したときのように、化粧シートが切断されて框材３の下地が外から見えてしまうこともないので、表面に加工を施した框材３を用いた框組建具にも適用できる。
【００１４】
なお、この実施例において、横框２の差込溝７に調整用空間部８を設け、縦框１の長さを調整すれば、高さ方向の寸法が調整できる框組建具を提供することも可能である。又、この実施例の縦框１と横框２の位置を置換することでも、高さ方向の寸法が調整できる框組建具を提供することができる。
【００１５】
図２は、本願の請求項２及び請求項３の発明に対応した別の実施形態である框組建具の端面図を示している。この実施形態の框組建具は、図２に示す如く、調整用空間部８の余剰部分１０に、スペーサー１１を設けている。
【００１６】
又、対向する差込溝７に、板材５の挿入深さが同じになるようにスペーサー１１を設け、板材５を框材３の略中央に配置している。
【００１７】
以下、この実施形態の框組建具を、より具体的詳細に説明する。この実施形態の框組建具では、框材３に設けた調整用空間部８の余剰部分１０に、スペーサー１１を設けている。スペーサー１１はウレタンやゴムなどの適度な弾性を有する素材を選択する。又、対向する調整用空間部８の余剰部分１０がほぼ均等になるように、スペーサー１１の深さを設け、板材５が框組建具のほぼ中央に配置されている。
【００１８】
図２（ａ）、（ｂ）を比較してわかるように、框組建具の寸法が大きいときには、差込溝７の調整用空間部８の余剰部分１０は大きくなり、又、框組建具の寸法が小さいときには、差込溝７の調整用空間部８の余剰部分１０は小さくなるが、あらかじめ差込溝７の巾に合わせて大きめに作成しておいたスペーサー１１を、調整用空間部８の余剰部分１０に合わせて切断し、差込溝７に挿入する。
【００１９】
従って、この実施形態の框組建具においては、調整用空間部８の余剰部分１０にスペーサー１１を設けているため、板材５を框材３の所定位置に固定することができ、框組建具の使用時の板材５のずれやガタツキ音も防止できる。又、調整用空間部８の余剰部分１０の寸法が変化しても、スペーサー１１を余剰部分１０に合わせて切断し、框組建具を組み上げるだけであるので、施工現場での加工も可能である。
【００２０】
又、板材５が框材３のほぼ中央になるように、スペーサー１１を調整しているため、框材建具の重心が偏っていないので、スムーズに開閉できる框材建具を提供でき、又、立て付けが悪くなることを防止できる。
【００２１】
それ以外の構成については前述実施例と同様であり、効果についても同様のものを有する。
【００２２】
なお、板材５が框材３にしっかり固定され、框材３から外れる心配がなければ、スペーサー１１を対向する差込溝７のどちらか一方のみに設けてもよい。又、図２（ｃ）に示すように、調整用空間部８の余剰部分１０がないときには、スペーサー１１を設ける必要はない。
【図面の簡単な説明】
【００２３】
【図１】本願発明の実施形態である框組建具を示す図で、（ａ）は分解斜視図、（ｂ）は正面図、（ｃ）はＡ−Ａ断面図。
【図２】本願発明の別の実施形態である框組建具を示す断面図。
【符号の説明】
【００２４】
１    縦框
２    横框
３    框材
４    開口部
５    板材
６    板材端周部
７    差込溝
８    調整用空間部
１０  余剰部分
１１  スペーサー
【図１】
2006194039.tif 000003
【図２】
2006194039.tif 000004